【事件の表示】
　平成　７年特許願第　７５４６０号「フィルタ」拒絶査定に対する審判事件［平成　８年１０月１８日出願公開、特開平　８−２７４５６７］について、次のとおり審決する。
【結　論】
　本件審判の請求は、成り立たない。
【理　由】
【１】本願発明
　本願は、平成７年３月３１日に特許出願されたものであって、その請求項１乃至５に係る発明は、平成１２年１月１７日付け手続補正書によって補正された明細書及び図面の記載からみてその特許請求の範囲の請求項１乃至５に記載されたとおりのものであって、当該請求項１に係る発明は、以下のとおりのものと認める。なお、平成１２年４月１７日付けの手続補正は却下された。
「【請求項１】　
フィルタ部と、前記フィルタ部に接続した端子部とを備え、前記フィルタ部には、蛇行させた金属線を交互に押圧して拡げたスパイラル状のコイルを有する２つのインダクタンス部と、２つの前記インダクタンス部を接続した電極部と、前記電極部に一端を接続したコンデンサとを設け、フェライトを含有した樹脂成形体に前記フィルタ部を内包するとともに、蛇行させた前記金属線の蛇行方向が横方向となるように２つの前記インダクタンス部を配置し、かつ、２つの前記インダクタンス部の間に前記コンデンサを配置した
【２】引用刊行物
（１）原査定の拒絶の理由に引用された特開平６ー２８３３３８号公報（以下「刊行物１」という。）には、その実施例及び図面に係る記載を参酌すると、概要、以下のとおりの技術的事項が記載されていると認められる。
（1-1）「まず、図1に示す本発明の一実施例について説明すると、11は鉄合金、銅、銅合金などの金属板を打抜いて形成した蛇行部であり、この蛇行部11の両端には直線状の端子部12が一体に設けられ、さらに蛇行部11の中間部には蛇行部11の一部を外方に突出させる露出部13が一体に形成されている。これらでインダクタンス素子を構成し、このインダクタンス素子は端子部12の先端および露出部13の先端のみを表出させるように合成樹脂あるいはフェライトなどの磁性粉を混入した合成樹脂による外装成形体14でモールドされている。」（第2頁第2欄第31〜41行、図1参照）
（1-2）「次に図3に示す実施例について説明する。この実施例において蛇行部11は端子部12からのL形の水平部15に連続した立上部16と、この立上部16に連続したL形の水平部17と、この水平部17に連続した立下部18と、この立下部18に連続したL形の水平部15のパターンを繰返して形成する立体的な蛇行部となっており、この蛇行部11を2個平行して設け、この2個の蛇行部11間を連続部19で連結し、この連続部19の中間に両蛇行部11間を通って端子部12側に引出される電極部20を一体に設け、この電極部20と蛇行部11の一部とを露出部13で連結した構成とし、このような複合インダクタンス素子を外装成形体14でモールドし、上記端子部12および電極部20の先端を外装成形体14より表出させるとともに、この外装成形体14の中央部に貫通穴21を設けて電極部20の一部と、この電極部20と蛇行部11を連結する露出部13を露出させた構成となっている。このような構成で外装成形体14を形成した後、貫通穴21を利用して電極部20の一部および露出部13を打抜いて除去し、この貫通穴21内にチップコンデンサを組込み、切断された電極部20間にチップコンデンサを接続すればLCフィルタを構成することができる。この構成のインダクタンス部品は、図4〜7に示すように、複合インダクタンス素子を金属板の打抜き、折曲げ成形を行って形成し、これを成形金型22にセットして端子部12、電極部20および貫通穴20に相当する部分を成形金型22に保持固定させ、立体的な蛇行部11のそれぞれの中空部に対応する位置に設けたゲート23から合成樹脂材を注型して成形し外装成形体14を形成する。」（第3頁第3欄第6〜36行、図3〜7参照）
（1-3）以上の記載及び図面図３〜７によれば、前記刊行物１には、以下のような発明が開示されている。
「フィルタ部と、前記フィルタ部に接続した端子部(12)とを備え、前記フィルタ部には、立体的な蛇行部(11)となるように蛇行される金属線を交互に押圧して拡げたスパイラル状のコイルを有する２つのインダクタンス部と、２つの前記インダクタンス部を接続した連結部(19)と、前記連結部(19)と電極部(20)に一端を接続したチップコンデンサとを設けてＬＣフィルタ部とし、フェライトを含有した合成樹脂による外装成形体(14)に前記フィルタ部を内包するとともに、２つの前記インダクタンス部の間の貫通穴(21)内に前記チップコンデンサを組込み配置したフィルタ。」
（２）同じく引用された特開平５ー３０８０２４号公報（以下「刊行物２」という。）には、その実施例及び図面に係る記載を参酌すると、フィルタ部と、前記フィルタ部に接続した端子部（金属端子32aの外部端子35a、金属端子32bの外部端子35b）とを備え、前記フィルタ部には、2つのインダクタンス部（金属端子32aの内部端子34aと中間端子37の内部端子39a、金属端子32bの内部端子34bと中間端子37の内部端子39b）と、2つの前記インダクタンス部を接続した電極部（中間端子37の結合端子40）と、前記電極部に一端を接続したコンデンサ（チップコンデンサ41）とを設け、2つの前記インダクタンス部の間に前記コンデンサを配置したフィルタが開示されており、このようなフィルタにおいて、「2つの前記インダクタンス部を、蛇行させた金属線の蛇行方向が横方向になるように（同軸状に）配置する」ことが記載されている。（第3頁第4欄第50行〜第4頁第6欄第25行、図7〜9参照）
（３）同じく引用された実願平２ー６５４０４号（実開平４ー２５３１３号）のマイクロフイルム（以下「刊行物３」という。）には、その実施例及び図面に係る記載を参酌すると、フィルタ部と、前記フィルタ部に接続した端子部（外部端子8、8）とを備え、前記フィルタ部には、スパイラル状のコイルを有する2つのインダクタンス部（インダクタンス素子10、10）と、2つの前記インダクタンス部を接続した電極部（積層コンデンサ5の上方の外部電極6）と、前記電極部に一端を接続した（前記電極部で2つの前記インダクタンス部と接続した）コンデンサ（積層コンデンサ5）とを設け、2つの前記インダクタンス部の間に前記コンデンサを配置したフィルタが開示されており、このようなフィルタにおいて、「2つの前記インダクタンス部を、コイルのスパイラル方向が横方向になるように（同軸状に）配置する」ことが記載されている。（公開明細書第4頁第5行〜第5頁第6行、第1図参照）
（４）同じく引用された特開平６ー１２５２３６号公報（以下「刊行物４」という。）には、その実施例及び図面に係る記載を参酌すると、フィルタ部と、前記フィルタ部に接続した端子部とを備え、前記フィルタ部には、蛇行させた金属線のコイル又はスパイラル状のコイルを有する２つのインダクタンス部と、２つの前記インダクタンス部を接続した電極部と、前記電極部に一端を接続したコンデンサとを設け、フェライトを含有した樹脂成形体に前記フィルタ部を内包するとともに、２つの前記インダクタンス部の間に前記コンデンサを配置したフィルタが開示されており、このようなフィルタにおいて、「前記樹脂成形体に凹部を設けるとともに、前記電極部を前記樹脂成形体の凹部上（凹部内）に突出させ、前記コンデンサを前記凹部に配置するとともに、前記コンデンサの一端を前記樹脂成形体の凹部上（凹部内）に突出した電極部に接続する」技術的事項が記載され、またこの作用として段落番号【0007】に「2個のインダクタンス素子間に空隙部を設けることによりインダクタンス周辺より磁気抵抗が高くなり磁束の通過を阻害し、その結果インダクタンス間の結合が粗となるとともに、コンデンサもこの空隙部に取り付けられるので前述のようなうず電流の発生がなくなり損失の増加を防止することができる。」旨記載されている。（第2頁第2欄第15行〜第3頁第3欄第37行、第3頁第4欄第14〜21行、図1〜4、図9参照）
【３】対比・判断
（対比）
　本願の請求項１に係る発明（以下「本願発明」という。）と上記刊行物１に記載された発明（殊に図3〜図7に係るもの）とを対比すると、刊行物１における「立体的な蛇行部(11)」「チップコンデンサ」「連結部(19)」及び「外装成形体(14)」は、それぞれ本願発明における「インダクタンス部」「コンデンサ」「電極部」及び「樹脂成形体」に相当する。また、本願発明における「樹脂成形体に前記フィルタ部を内包する」構成について、この「内包する」との構成は、本願明細書の段落番号【0004】に、前記刊行物１における構成を「従来のフィルタ」と表現し、「従来のフィルタは、フェライトを含有した樹脂からなる樹脂成形体1と、この
樹脂成形体1に内包したフィルタ部2
　したがって、両者は以下のとおりの一致点及び相違点を有するものと認められる。
（一致点）
「フィルタ部と、前記フィルタ部に接続した端子部とを備え、前記フィルタ部には、蛇行させた金属線を交互に押圧して拡げたスパイラル状のコイルを有する２つのインダクタンス部と、２つの前記インダクタンス部を接続した電極部と、前記電極部に一端を接続したコンデンサとを設け、フェライトを含有した樹脂成形体に前記フィルタ部を内包するとともに、２つの前記インダクタンス部の間に前記コンデンサを配置したフィルタ。」
（相違点）
(i)２つのインダクタンス部が、本願発明にあっては、蛇行させた金属線の蛇行方向が横方向になるように配置されているのに対して、刊行物１にあっては、蛇行させた金属線の蛇行方向（コイルのスパイラル方向）が縦方向になるように配置されている点、
（検討）
　上記相違点(i)について検討すると、本願発明において「蛇行させた前記金属線の蛇行方向が横方向となるように２つの前記インダクタンス部を配置」することの技術的意義は、本願明細書の作用・効果等の記載を参酌すると「フィルタを小型化する際に、蛇行部の幅に制約を受けることがない。」（段落番号【0016】【0040】）、「2つのインダクタンス部の金属線の蛇行方向が横方向に直列に配置されたとしても、2つのインダクタンス部の間にはコンデンサを配置しているので、フェライトを含有した樹脂成形体内を流れる磁束は、その部分においてはその磁束の流れが妨げられる。これにより、コイルから発生する磁束の影響により、フィルタの周波数特性値を劣化させることもない。」（段落番号【0017】【0041】）というものである。
　しかしながら、前記刊行物２、３には、フィルタ部と、前記フィルタ部に接続した端子部とを備え、前記フィルタ部には、２つのインダクタンス部と、２つの前記インダクタンス部を接続した電極部と、前記電極部に一端を接続したコンデンサとを設け、２つの前記インダクタンス部の間にコンデンサを配置したフィルタが開示されており、このようなフィルタにおいて、「２つの前記インダクタンス部を、蛇行させた金属線の蛇行方向又はコイルのスパイラル方向が横方向になるように（同軸状に）配置する」ことが記載されており、従来より周知の技術的事項である（なお、他に必要で有れば、実願平4-30049号（実開平5-90918号）のCD-ROM［図4(b)(d)］参照）ので、前記刊行物１に記載された縦方向に配置するものにおいても、上記周知の技術的事項を参酌して本願発明のように横方向に配置するように構成することは当業者が適宜になし得ることと認められる。そして、フィルタなどの電子部品にあっては小型化は自明の技術的事項であり、また「２つのインダクタンス部の間にはコンデンサを配置」することで、「フェライトを含有した樹脂成形体内を流れる磁束は、その部分においてはその磁束の流れが妨げられる。これにより、コイルから発生する磁束の影響により、フィルタの周波数特性値を劣化させることもない。」との技術的意義は、例えば、前記刊行物４にも開示されているように当業者に自明にものであり、この点に格別の技術的意義を有するものとも認められない。
　したがって、本願発明のように構成することは、前記刊行物１乃至４及び周知の技術的事項に基づいて当業者が容易になし得ることと認められる
【４】むすび
　以上のとおりであって、本願の請求項１に係る発明は、上記刊行物１乃至４に記載された発明及び周知の技術的事項に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。